(57)【特許請求の範囲】
【請求項１】
画像データを受信する受信手段と、
前記受信手段にて受信される前記画像データに基づく画像、および待受画面を表示可能な表示手段と、
前記受信手段にて受信される前記画像データのうち断片的な断片画像データを記憶する記憶手段と、
前記記憶手段に記憶された前記断片画像データを読み出し、この断片画像データに基づく画像を前記表示手段に表示させるための断片表示操作手段と、を有し、
前記表示手段は、
前記断片画像データを記憶する毎に、当該断片画像データと対応付けた表示オブジェクトを前記待受画面とともに表示させ、
前記断片表示操作手段の操作により前記表示オブジェクトが選択されると、当該選択された表示オブジェクトに対応付けられて前記記憶手段に記憶されている前記断片画像データに基づく画像を表示する
ことを特徴とする携帯端末装置。
【請求項２】
前記表示手段は、１つの連続的な前記画像データの前記断片画像データを一通り記録した後に、前記表示オブジェクトを表示する
ことを特徴とする請求項１記載の携帯端末装置。
【請求項３】
前記記憶手段は、複数の前記断片画像データを記憶し、
前記断片表示操作手段は、前記記憶手段に記憶されている複数の前記断片画像データのうち１つの断片画像データを選択可能に構成され、
前記表示手段は、前記断片表示操作手段により選択された前記１つの断片画像データに基づく画像を表示する
ことを特徴とする請求項１又は請求項２記載の携帯端末装置。
【請求項４】
前記記憶手段に記憶されている前記複数の断片画像データについての情報が前記表示手段に夫々表示され、
前記断片画像表示操作手段は、前記表示手段に表示された前記情報に基づいて、前記記憶手段に記憶されている前記複数の断片画像データのうち１つを選択可能に構成され、
前記表示手段は、表示された前記情報に基づいて前記断片表示操作手段により選択された前記１つの断片画像データに基づく画像を表示する
ことを特徴とする請求項３記載の携帯端末装置。
【請求項５】
前記表示手段が表示する情報は、前記断片画像データの時間情報を含む
ことを特徴とする請求項４記載の携帯端末装置。
【請求項６】
前記断片表示操作手段は、前記記憶手段に複数の断片画像データが記憶されている場合に、前記複数の断片画像データに基づく画像を前記表示手段に連続的に表示させるための連続断片表示操作部を備え、
前記表示手段は、前記連続断片表示操作部の操作により、前記記憶手段に記憶されている前記複数の断片画像データに基づく画像を連続的に表示する
ことを特徴とする請求項１乃至請求項５のいずれか１項に記載の携帯端末装置。
【請求項７】
前記受信手段にて受信される前記画像データを連続的に記憶する連続画像記憶手段と、前記連続画像記憶手段に記憶されている前記連続画像データを読み出し、この連続画像データに基づく画像を前記表示手段に表示させるための連続断片表示操作手段と、を有し、
前記表示手段は、前記連続断片表示操作手段の操作により、前記記憶手段に記憶されている前記連続画像データに基づく画像を表示する
ことを特徴とする請求項１乃至請求項６のいずれか１項に記載の携帯端末装置。
【発明の詳細な説明】
【技術分野】
【０００１】
本発明は、例えば動画データやテレビジョン放送の画像データを受信部で受信し、当該受信した画像データに基づく画像を表示部で表示させることのできる携帯端末装置に関するものである。
【背景技術】
【０００２】
近年、携帯電話機に代表される携帯端末装置は著しい技術革新を遂げており、インターネットを介したデータ通信を行うことができるのはもちろんのこと、テレビジョン放送の受信チューナを内蔵したものもある。
【０００３】
携帯端末装置でインターネットを介したデータ通信を行う場合や、テレビジョン放送を受信する場合は、携帯端末装置が受信した画像データに基づく画像を液晶表示デバイス（ＬＣＤ：Ｌｉｑｕｉｄ  Ｃｒｙｓｔａｌ  Ｄｉｓｐｌａｙ）などの表示部に表示できるようなっている。また、後でこれらの画像を表示部に表示できるように、携帯端末装置には受信した画像のデータを記憶する記憶部も備えている。
【０００４】
特に、テレビジョン放送は視聴したい時刻に視聴できるとは限られないので、テレビジョン放送の画像データを記憶部に記憶することが必要となる場合が多い。また、受信画像を後に表示部で表示させる場合だけでなく、待ち受け画像として携帯端末装置の表示部に表示させる場合にも、受信した画像のデータを記憶部に記憶することが必要である。
【０００５】
そのため、特許文献１に記載された携帯端末装置では受信した放送のコンテンツ画像のデータを待ち受け画面設定制御部に備えられたコンテンツ保存部に保存する。そして、待ち受け画面設定制御部はコンテンツ保存部に保存された画像のデータを読み出して、画像表示部にコンテンツの画像を待ち受け画像として表示させる。
【０００６】
【特許文献１】特開２００５−２７７８６７号公報
【発明の開示】
【発明が解決しようとする課題】
【０００７】
携帯端末装置は携帯性を重視することから記憶部を確保するスペースに制約がある。そのため、携帯端末装置に備えられた記憶部の記憶容量は一般的に、汎用パソコンやハードディスクビデオレコーダに備えられた記憶部の記憶容量と比べて少ない。
【０００８】
したがって、携帯端末装置に長時間のテレビジョン放送の画像データを記憶部に記憶させたい場合であっても、記憶部の記憶容量が少ないことによりこれができないこともある。さらに、携帯端末装置に備える記憶部を確保するスペースに制約がある理由と同様にして、携帯端末装置に備えられる中央演算装置（ＣＰＵ：Ｃｅｎｔｒａｌ  Ｐｒｏｃｅｓｓｉｎｇ  Ｕｎｉｔ）についても、汎用パソコンやハードディスクビデオレコーダに備えられた中央演算装置ほどの高性能なものとすることができない。
【０００９】
そのため、記憶部に記憶させた画像データを画像表示部に画像として表示させる場合に、中央演算装置の処理能力が高くないために表示速度が遅くなる場合もある。したがって、記憶部に記憶された画像データの内容確認に時間がかかってしまう。
【００１０】
なお、特許文献１に記載された携帯端末装置は、受信した放送のある一部分のみのコンテンツ画像を待ち受け画像として表示させるものであるため、放送されたコンテンツ全体についての内容の確認ができない。
【００１１】
本発明が解決しようとする課題は、携帯端末装置において、その記憶部の記憶容量が少ない場合であっても、受信した画像のデータを記憶部に記憶する上で制約が少ないものを提供することを目的とする。また、記憶部に記録された画像データの内容の確認を簡単迅速にできる携帯端末装置を提供することも目的とする。
【課題を解決するための手段】
【００１２】
本発明の携帯端末装置は、画像データを受信する受信手段と、画像データを受信する受信手段と、前記受信手段にて受信される前記画像データに基づく画像、および待受画面を表示可能な表示手段と、前記受信手段にて受信される前記画像データのうち断片的な断片画像データを記憶する記憶手段と、前記記憶手段に記憶された前記断片画像データを読み出し、この断片画像データに基づく画像を前記表示手段に表示させるための断片表示操作手段と、を有し、前記表示手段は、前記断片画像データを記憶する毎に、当該断片画像データと対応付けた表示オブジェクトを前記待受画面とともに表示させ、前記断片表示操作手段の操作により前記表示オブジェクトが選択されると、当該選択された表示オブジェクトに対応付けられて前記記憶手段に記憶されている前記断片画像データに基づく画像を表示することを特徴とする。
【００１３】
好適には、前記表示手段は、１つの連続的な前記画像データの前記断片画像データを一通り記録した後に、前記表示オブジェクトを表示する。
【００１４】
本発明の携帯端末装置は、前記記憶手段は、複数の前記断片画像データを記憶し、前記断片表示操作手段は、前記記憶手段に記憶されている複数の前記断片画像データのうち１つの断片画像データを選択可能に構成され、前記表示手段は、前記断片表示操作手段により選択された前記１つの断片画像データに基づく画像を表示する。
【００１５】
本発明の携帯端末装置は、前記記憶手段に記憶されている前記複数の断片画像データについての情報が前記表示手段に夫々表示され、前記断片画像表示操作手段は、前記表示手段に表示された前記情報に基づいて、前記記憶手段に記憶されている前記複数の断片画像データのうち１つを選択可能に構成され、前記表示手段は、表示された前記情報に基づいて前記断片表示操作手段により選択された前記１つの断片画像データに基づく画像を表示する。
【００１６】
本発明の携帯端末装置は、前記表示手段が表示する情報は、前記断片画像データの時間情報を含む。
【００１７】
本発明の携帯端末装置は、前記断片表示操作手段は、前記記憶手段に複数の断片画像データが記憶されている場合に、前記複数の断片画像データに基づく画像を前記表示手段に連続的に表示させるための連続断片表示操作部を備え、前記表示手段は、前記連続断片表示操作部の操作により、前記記憶手段に記憶されている前記複数の断片画像データに基づく画像を連続的に表示する。
【００１８】
本発明の携帯端末装置は、前記受信手段にて受信される前記画像データを連続的に記憶する連続画像記憶手段と、前記連続画像記憶手段に記憶されている前記連続画像データを読み出し、この連続画像データに基づく画像を前記表示手段に表示させるための連続断片表示操作手段と、を有し、前記表示手段は、前記連続断片表示操作手段の操作により、前記記憶手段に記憶されている前記連続画像データに基づく画像を表示する。
【発明の効果】
【００１９】
本発明の携帯端末装置では、受信した画像のデータを記憶手段に記憶する上で制約が少ない。また、本発明の携帯端末装置に記録された画像データの内容確認も簡単迅速に行うことができる。
【発明を実施するための最良の形態】
【００２０】
図１は本発明の携帯端末装置１の一実施形態を示した図である。
図１に示した携帯端末装置１は、例えば、受信用のアンテナ２と、チューナ部３と、復調部４と、音声デコーダ部５と、映像デコーダ部６と、データ放送デコーダ部７と、画面生成部８と、音声出力部９と、表示部１０とを有している。
アンテナ２、チューナ部３、復調部４は、本発明の受信手段の一実施形態であり、表示部１０は本発明の表示手段の一実施形態である。
【００２１】
そして、携帯端末装置１は、音声デコーダ部５、映像デコーダ部６、データ放送デコーダ部７が接続され、これらから送られるデータを記憶する記憶部であるメモリ１１と、メモリ１１の動作を制御する断片表示操作部１２及び連続断片表示操作部１３を有している。
【００２２】
チューナ部３は、アンテナ２で受信した電波に含まれる信号成分のうち、所定周波数成分に同調し、デジタル放送の受信信号を生成する。そして、この受信信号に増幅、検波、周波数変換などの信号処理を行い、デジタル信号に変換して出力する。
【００２３】
復調部４は、チューナ部３から出力される受信信号に所定の復調処理を行い、ＭＰＥＧのトランスポート・ストリームを生成する。そして、トランスポート・ストリーム内のパケットＩＤに従って音声パケット、映像パケット、データ放送パケットをそれぞれ分離して出力する。
【００２４】
音声デコーダ部５は、復調部４において分離された音声パケットを入力し、所定の複号化処理を行う。
【００２５】
映像デコーダ部６は、復調部４において分離された映像パケットを入力し、所定の複号化処理を行う。
【００２６】
データ放送デコーダ部７は、復調部４において分離されたデータ放送パケットを入力し、所定の複号化処理を行う。
【００２７】
画面生成部８は、映像デコーダ部６において復号化されたテレビジョンジョン放送の映像データと、データ放送デコーダ部７において復号化されたデータ放送のデータを合成し、表示部１０の画面に表示するデータを生成する。
【００２８】
音声出力部９は、例えばスピーカを有しており、音声デコーダ部５において復号化された音声データに基づいて音声を生成し出力する。表示部１０は、上記データに基づく画像を表示させる。
【００２９】
図１に示した携帯端末装置１の動作について説明する。
まず、テレビジョンジョン放送やデータ放送の電波をアンテナ２で受信し、これらの放送の受信信号をチューナ部３が同調し、デジタル信号を生成する。そして、復調部４はデジタル信号を、音声パケット、映像パケット、データ放送パケットにそれぞれ分離し、これらのパケットを音声デコーダ部５、映像デコーダ部６、データ放送デコーダ部７に送る。
【００３０】
音声パケット、映像パケット、データ放送パケットについては、音声デコーダ部５、映像デコーダ部６、データ放送デコーダ部７が復号化処理を行い、音声データや映像のデータが生成される。
【００３１】
ここで、テレビジョンジョン放送やデータ放送が現在放送されている状態で、生成された映像データを画面生成部８が表示部１０の画面に表示するデータを生成して、表示部１０で映像を表示させ、音声デコーダ部５が生成した音声データに基づいて音声出力部９で音声を出力することにより、生の状態で視聴することも可能である。
【００３２】
一方で、テレビジョンジョン放送やデータ放送を生で視聴できず、後刻に視聴する場合は、テレビジョンジョン放送やデータ放送の画像データをメモリ１１に保存させておく必要がある。
【００３３】
しかし、携帯端末装置１のメモリ１１の記憶容量を十分に確保できないと、テレビジョンジョン放送やデータ放送の番組の全時間についての画像データの保存が不可能な場合がある。
そこで、本実施形態の携帯端末装置１では、テレビジョンジョン放送やデータ放送の番組の全時間についての画像データをメモリ１１に保存させるのではなく、当該画像のうち断片的な画像データについてのみメモリ１１に保存させる。ここで、断片的な画像とは、放送等の全放映時間のうち所定の時刻における、静止画像、又は、短時間の動画像、を意味している。このような断片的な画像データはデータ量が少ない。
【００３４】
そして、いったんメモリ１１に保存された断片的な画像データを改めて表示部１０で画像として表示させる場合には、断片表示操作部１２を操作することによりメモリ１１に保存された当該断片的な画像データが読み出され、そのデータを音声デコーダ部５、映像デコーダ部６又はデータ放送デコーダ部７に送り出される。
【００３５】
そして、メモリ１１からデータを受け取った音声デコーダ部５は、当該データについて所定の複号化処理を行い、音声出力部９は、復号化された音声データに基づいて音声を生成する。
また、メモリ１１からデータを受け取った映像デコーダ部６又はデータ放送デコーダ部７は、映像データを生成して画面生成部８へ送り、映像データを受け取った画面生成部８は表示部１０の画面に表示するデータを生成して、表示部１０で映像を表示する。こうして、メモリ１１に保存された断片的な画像データを再度改めて表示部１０に画像として表示させることができる。
【００３６】
ここで、表示部１０で表示させる画像は、テレビジョンジョン放送やデータ放送の番組の全時間についての連続している画像のうち断片的な画像データについての画像であるため、その画像のデータ量が少なく、表示部１０で表示する際のＣＰＵにかかる負担が小さい。そのため、携帯端末装置１に使用されるＣＰＵの処理速度が遅い場合であっても、画像データの内容の確認を簡単迅速にできるようになる。
【００３７】
なお、メモリ１１に保存された断片的な画像データには、保存すべきテレビジョンジョン放送やデータ放送の画像のうち、サムネイルを構成する部分の画像についてのデータが含まれるようにしてもよい。サムネイルを構成する部分の画像とは、テレビジョンジョン放送やデータ放送の連続する画像のうち所定の瞬間にその箇所を抜き出した画像である。
【００３８】
メモリ１１に保存されるデータのうち、サムネイルを構成する部分の画像についてのデータが含まれるようにすることにより、そのデータを読み出して、表示部１０で画像として表示させる際に、その画像に基づいて保存された画像データの内容について視覚的に確認することもできる。
【００３９】
メモリ１１に保存させておくテレビジョンジョン放送やデータ放送の画像データは、一つの番組についての一つの断片的な画像についてだけでなく、一つの番組について複数の断片的な画像データも含まれる。本実施形態の携帯端末装置１では、テレビジョンジョン放送やデータ放送の番組の全時間についての画像のうち断片的な画像データについてのみメモリ１１に保存させているので、メモリ１１の記憶容量を十分に確保できない場合であっても、複数の断片的な画像のデータをメモリ１１に保存することができ、これらの画像によって当該番組の内容を断片的に確認することもできる。
【００４０】
メモリ１１に保存させたデータを読み出して表示部１０で画像として表示させる際は、まず、断片表示操作部１２の操作に応じてメモリ１１に保存された複数の断片的な画像のデータの中から一つを選択して読み出す。そして、上記と同様にして、音声出力部９に音声を出力させ、表示部１０に画像として表示させることにより、メモリ１１に保存された特定の番組を視聴することができる。
【００４１】
なお、メモリ１１に複数の断片的な画像データが保存されている場合は、断片表示操作部１２によって視聴すべき複数の断片的な画像データの一を選択する。実際に視聴すべき番組や視聴すべきダイジェスト部のどれを選ぶのかについては、携帯端末装置１を操作する者の任意であるが、この際に選択の目安となるように、表示部１０において複数の断片的な画像についての各情報を表示させるようにすることが望ましい。表示部１０において表示する情報は、例えば番組のタイトルや内容の要約、記録した時刻（時間情報）などをあげることができる。
【００４２】
さらに、メモリ１１に複数の断片的な画像データが保存されている場合は、断片表示操作部１２により視聴すべき複数の断片的な画像データの一を選択する代わりに、断片表示操作部１２に含まれる連続断片表示操作部１３が、メモリ１１に保存されている複数の断片的な画像データを連続的に読み出すようにしてもよい。
【００４３】
そして、連続断片表示操作部１３の操作により読み出された複数の断片的な画像データを表示部１０において連続的な画像として表示させるようにする。そのようにすることで、表示部１０において、特定の番組について放送された内容を時系列で追っていくことが可能であり、番組の流れを容易に確認することができるようになる。
【００４４】
以上説明した携帯端末装置１のより具体的な動作について、図２及び図３を参照して詳細に説明する。
図２は、携帯端末装置として携帯電話機のディスプレイに表示された画像を示したものである。図２においては、携帯電話機で地上デジタル放送のワンセグメント放送を受信し、当該放送内容の記録を行うことを想定している。
【００４５】
図２（ａ）は、携帯電話機のディスプレイに表示された待受の画面１４ａである。この状態で図示しない携帯電話機のキーを操作して、図２（ｂ）に示したように携帯電話機の機能の一覧が示されているメニュー画面１４ｂを表示させる。このメニュー画面１４ｂでキーを操作して、図２（ｃ）に示したように、ワンセグメント放送に関連するメニュー画面１４ｃを表示させる。図２（ｃ）の画面１４ｃの状態において、さらにワンセグメント放送を生視聴するメニューを選択すれば、ワンセグメント放送の受信が可能であるが、ここでは、ワンセグメント放送を予約録画することを考える。そこで、図２（ｃ）のワンセグメント放送に関連するメニュー画面１４ｃを表示している状態から、番組一覧を表示させるメニューを選択すれば図２（ｄ）に示したように、予約録画すべき番組の一覧が表示された画面１４ｄを表示させる。
【００４６】
図２（ｄ）の状態で、予約録画すべき番組（ここでは、サッカー番組）を選択すると、図２（ｅ）のように番組の情報、録画予約、視聴予約、ダイジェスト設定、その他の設定を行うためのメニューが表示される。本発明の携帯端末装置では、受信する画像のデータのうち、当該画像の断片的な画像データを記憶部に記憶することが可能であるため、図２（ｅ）においては、ダイジェスト設定のメニューを選択する。すなわち、ダイジェスト設定のメニューを選択することにより、ワンセグメント放送を録画する際に、放送される画像のすべてではなく、断片的な画像のみを録画することができるようになる。
【００４７】
こうして、ワンセグメント放送を録画する際に、断片的な映像のみを録画することができるようになる。なお、当該録画を行う断片的な映像に相当するものとして、放送される映像画面のサムネイルの指定を行うことが必要である。そこで、図２（ｆ）の画面１４ｆに示したように、録画を行うべきサムネイルの取得回数、言い換えれば録画を行う断片的な映像の数を指定する。
【００４８】
次に、ワンセグメント放送の時間帯のうち、サムネイルの録画を行うべき時刻の指定を行う。サムネイルの録画を行うべき時刻の指定は、携帯電話機で自動的に行うか、又は手動で行うことができる。すなわち、図３（ａ）の画面１４ａに示したように、サムネイルの録画を行うべき時刻の指定について自動にするのか、又は、手動にするのかを選択する。
【００４９】
サムネイルの録画を行うべき時刻の指定を自動に選択した場合は図３（ｂ）の画面１４ｂに示したように、サムネイルの録画を行うべき時刻の指定が自動的に完了する。このとき、サムネイルの取得を行うべき時刻の指定が１回であった場合は、ワンセグメント放送の終了時をサムネイルを取得する箇所とする。また、サムネイルの録画を行うべき時刻の指定が複数回であった場合は、最初のサムネイルの取得をワンセグメント放送の開始時とし、最後のサムネイルの取得を当該放送の終了時とし、残りのサムネイルの取得は、ワンセグメント放送の放送時間の長さをサムネイルの取得回数（最初と最後のサムネイルの取得の２回を引いた回数）で均等に割った時点に行うこともができる。
【００５０】
サムネイルの録画を行うべき時刻の指定を手動に選択した場合は図３（ｃ）の画面１４ｃに示したように、ワンセグメント放送の放送時間帯を示すインジケータが示される。当該インジケータは、バー状に表示され、バーの左端が録画をすべきワンセグメント放送の開始時刻であり、バーの右端が終了時刻となる。
【００５１】
図３（ｃ）に示したように、インジケータ上には“●”からなるポインタが示され、そのポインタは携帯電話機のキーを操作することによりサムネイルの録画を行うべき時刻に合わせることができる。このようなポインタ合わせは、サムネイルの取得回数の分だけ行う。すべてのポインタ合わせが終了すると、図３（ｄ）の画面１４ｄに示したように、サムネイルの録画を行うべき時刻の指定が完了する。
【００５２】
上記のように、サムネイルの画像の録画を行う時刻の指定が完了し、録画を行うべき時刻になると、携帯電話機はワンセグメント放送のサムネイル部分の画像の録画を行う。サムネイル部分の画像の録画を行うワンセグメント放送の受信は、アンテナ２、チューナ部３、復調部４からなる受信部で行う。そして、受信信号について音声デコーダ部５、映像デコーダ部６、データ放送デコーダ部７で、復号化処理を行い、音声データや映像のデータが生成され、このデータを図１に示したメモリ１１に記憶させる。
【００５３】
そして、サムネイル部分の画像の録画が完了すると、図３（ｅ）の画面１４ｅに示したように当該サムネイル部分のワンセグメント放送の番組タイトルや記録した時刻についての情報を付箋形式表示オブジェクト１５として待受画面上に表示させる。また、サムネイルの録画を行うべき時刻の指定が複数回の場合は、各サムネイル部分の画像の録画が完了するたびごとに、ワンセグメント放送の番組タイトルや記録した時刻についての情報を付箋形式表示オブジェクト１５として連続的に表示させる。たとえば、図３（ｅ）の画面１４ｅに示したように録画した時刻が早い順に、画面の下から付箋形式表示オブジェクト１５を並べるようにする。付箋形式表示オブジェクト１５が画面１４ｅに表示されることにより以下のように、内容確認を行うべき番組を選択する上での目安となる。
【００５４】
録画が完了済みのワンセグメント放送の内容を確認するためには、図３（ｅ）に示したように、複数種類の付箋形式表示オブジェクト１５が携帯電話機の画面１４ｅに表示された状態でその情報を見ながら、携帯電話機のキーを操作する。そして、内容を確認したい番組についての付箋形式表示オブジェクト１５を１つ選択すると、この選択された付箋形式表示オブジェクト１５に対応してメモリ１１に記憶されたデータが読み出され、図３（ｆ）に示したように表示部１０である携帯電話機の画面１４ｆに録画した画像が表示される。
【００５５】
図３（ｅ）の画面１４ｅに表示される付箋形式表示オブジェクト１５が複数の場合は、付箋形式表示オブジェクト１５の表示を最新のものから順に画面１４ｅの上段から下段側にわたって表示させることが望ましい。また、図３（ｅ）の画面１４ｅに表示される付箋形式表示オブジェクト１５の数が複数の場合において、その情報を見ながら確認をすべきワンセグメント放送を選択する際は、通し番号が付された付箋形式表示オブジェクト１５を画面１４ｅに表示させ、対応する携帯電話機の数字のキーを押すことにより選択を行うこともできる。
【００５６】
上記のように、携帯電話機で地上デジタル放送のワンセグメント放送を受信し、当該放送内容の記録を行うだけではなく、インターネットを介し、携帯電話機に送信される電子メールに添付された動画ファイルの内容の記録を行うようにしても良い。また、インターネットを介してダウンロード可能な動画ファイルの内容の記録を行ってもよい。
【００５７】
携帯電話機のメモリ１１の容量を十分確保できない場合であっても、これらの動画の断片的な画像についてのみのデータをメモリに記録するようにすれば、当該動画の内容の確認ができる程度に動画の全体にわたるデータの記憶ができるようになる。さらに動画の断片的な画像についてのみのデータの記録を行うことで、メモリ容量を節約することができるので、複数の動画についてのデータの記録も可能となる。
【００５８】
なお、図３（ｅ）に示したように、サムネイル部分の画像の録画が完了したときに、逐次当該サムネイル部分のワンセグメント放送の番組タイトルや記録した時刻についての情報を付箋形式表示オブジェクト１５として表示させていく必要性は必ずしもない。
【００５９】
すなわち、図３（ｅ）のようにサムネイル部分の画像の録画が完了するたびごとに、ワンセグメント放送の番組タイトルや記録した時刻についての情報を付箋形式表示オブジェクト１５として表示していくと、付箋形式表示オブジェクト１５の数が多い場合は、画面１３に表示し切れない場合がある。
【００６０】
そこで、サムネイル部分の画像の録画の際は、当該画像のデータをメモリ１１に記録していく動作のみをおこなうようにすればよい。その代わりに、サムネイル部分の画像の録画が一通り終了した後に、携帯電話機の画面に録画されたサムネイル部分の画像のうち、必要な画像についての付箋形式表示オブジェクトを表示させるようにすれば良い。
【００６１】
図４にその方法についての例を示した。
図４（ａ）に示したように、図２（ａ）に示した待受の画面１４ａの状態から、録画が完了済みの放送のファイル名の一覧が示された画面１４ａ（この図ではデータフォルダの画面となる）を表示させる。そして、携帯電話機のキーを操作し、録画が完了済みの放送のファイルの一覧のうち、付箋形式表示オブジェクト１５を表示させる必要のあるものを選択する。
【００６２】
そうすると、図４（ｂ）に示したように、ワンセグメント放送の番組タイトルや記録した時刻についての情報が付箋形式表示オブジェクト１５として画面１４ｂの上下に渡って連続的に表示される。
【００６３】
この状態で、図４（ｃ）に示したように、複数種類の付箋形式表示オブジェクト１５が携帯電話機の画面１４ｃに表示された状態でその情報を見ながら、携帯電話機のキーを操作する。そして、確認したい番組についての付箋形式表示オブジェクト１５を選択すると、メモリ１１に記憶されたデータが断片表示操作部１２により読み出され、図４（ｄ）に示したように画面１４ｄに録画した画像が表示される。
【００６４】
このようにすることで、付箋形式表示オブジェクト１５の数が多くなるような場合であっても、サムネイル部分の画像の録画が一通り終了した後に、視聴が必要なサムネイル画像のみを選択し、視聴が不要なサムネイル画像を非選択にすることができるようになる。さらに、視聴が必要なサムネイル画像についての付箋形式表示オブジェクト１５のみを、携帯電話機の画面に表示させることで、当該サムネイル画像の視聴を簡単迅速に行うこともできる。
【００６５】
なお、本発明は上述した実施形態に限定されるものではなく、本発明の趣旨を逸脱しない範囲の構成であればよい。
また、上述した実施形態では、断片的な画像データとしてサムネイル部分の画像を記憶（保存）させる構成としたが、サムネイル画像に限定されるものではなく、断片的な画像データとしてその他の画像を記憶させるようにしてもよい。
また、上述した実施形態では、記憶手段であるメモリ１１には断片的な画像データを記憶させる構成としたが、メモリ１１の容量に余裕がある場合には断片的な画像データだけでなく、テレビジョン放送やデータ放送の番組の全時間（長時間）についての全画像（連続的な画像）のデータを記憶させて、別途設けられる操作手段（連続表示操作手段）の操作に応じて全画像データ（連続画像データ）を連続的に表示（再生）することができるように構成されていてもよい。このように断片画像データと連続画像データとの両方がメモリ１１に記憶されている場合に、表示操作手段の操作に応じてメモリ１１に記憶されている画像データを表示させる際には、連続画像データと断片画像データの何れを表示させるかを選択可能とするとともに、断片画像データの表示を選択した場合には、この断片画像データを個別に表示（ダイジェスト個別表示）させるか複数の断片画像データを連続的に表示（ダイジェスト連続表示）させるかを選択可能にするように構成してもよい。この場合、番組を最初から時間をかけてじっくり視聴したいユーザーは連続画像データの表示（再生）を選択すればよく、時間をかけずに番組を断片的に視聴したいユーザーは断片画像データの表示を選択すればよい。さらには、断片画像データの表示をさせる際、断片画像データであるダイジェスト画像を連続的に視聴したいユーザーは複数の断片画像を連続的にダイジェスト連続表示を選択すればよく、ダイジェスト画像を個別に視聴したいユーザーは断片画像を個別に表示するダイジェスト個別表示を選択すればよい。
【００６６】
また、上述した実施形態では、断片画像データの記憶（サムネイルの録画）を行う時刻を自動的又は手動的に設定して、設定された時刻に断片画像データを記憶させる構成としたが、この時刻を自動的に設定する場合には番組情報に応じて設定されるように構成してもよい。例えば、野球番組の場合は３０分おき、サッカー番組の場合は１５分おき、ボクシング番組の場合は１分おき、などのように、記憶される番組内容を判定又は指定して、この番組内容に応じて記憶時刻を設定するようにしてもよい。或いは、最初に記憶する時刻を設定するのではなく、所定の条件を満たす場合に記憶するようにしても良い。例えば、音声デコーダ部５により生成される音声データや映像デコーダ部６又はデータ放送デコーダ部７で生成される映像データの出力変化を判断して、この出力変化に応じて断片画像データを記憶するように構成すればよい。具体的には、音声デコーダ部５にて生成される音声データに基づく音声出力値が所定レベル以上となる出力変化を検出したときに断片画像データを記憶する構成が考えられる。この場合、スポーツ番組では得点シーンなどにおいて音声出力が所定レベル以上になることが多いので、このような得点シーンを好適にダイジェスト画像として記憶でき、ユーザーは番組の主要部分を断片的に視聴できる。
【図面の簡単な説明】
【００６７】
【図１】本発明の携帯端末装置の構成を示したものである。
【図２】本発明の実施の形態に係る携帯電話機の動作においてディスプレイの表示画面を示したものである。
【図３】本発明の実施の形態に係る携帯電話機の動作においてディスプレイの表示画面を示したものである。
【図４】本発明の実施の形態に係る携帯電話機の動作においてディスプレイの表示画面を示したものである。
【符号の説明】
【００６８】
１…携帯端末装置、２…アンテナ、３…チューナ部、４…復調部、５…音声デコーダ部、６…映像デコーダ部、７…データ放送デコーダ部、８…画面生成部、９…音声出力部、１０…表示部、１１…メモリ、１２…断片表示操作部、１３…連続断片表示操作部、１４…画面、１５…付箋形式表示オブジェクト
【図１】
0004790433.tif 000002
【図２】
0004790433.tif 000003
【図３】
0004790433.tif 000004
【図４】
0004790433.tif 000005